(57)【特許請求の範囲】
【請求項１】
eNodeBであって、
第1の無線プロトコルを使用して免許不要のチャネルにおいて送信及び受信するように構成される第1のトランシーバーと、
免許付与されるチャネルにおいてセルラ無線プロトコルに従って送信及び受信するように構成される第2のトランシーバーと、
コントローラと、を含み、該コントローラは、
あらかじめ定められた時間的な期間を通して前記免許不要のチャネルの平均エネルギーがあらかじめ定められた閾値を下回るということを前記第1のトランシーバーにより判定し、前記判定に応答して、
前記第1のトランシーバーにより前記免許不要のチャネルで無線予約メッセージを送信して、付加ダウンリンク(SDL)物理ダウンリンク共有チャネル(PDSCH)の送信のために前記免許不要のチャネルを予約し、前記無線予約メッセージは継続時間フィールドを含み、前記継続時間フィールドは、アイドル期間と前記付加ダウンリンク(SDL)物理ダウンリンク共有チャネル(PDSCH)の送信のための送信機会(TXOP)期間とを含む継続時間を指定し、前記アイドル期間はセルラサブフレーム境界の始端の前に経過する時間的な期間であり、
当該eNodeBによってサービスを提供される少なくとも1つのユーザ機器(UE)を、前記第2のトランシーバーが送信する前記免許付与されるチャネルにおける物理ダウンリンク制御チャネル(PDCCH)を介してスケジューリングして、前記少なくとも1つのユーザ機器(UE)が、前記免許不要のチャネルの中の前記付加ダウンリンク(SDL)物理ダウンリンク共有チャネル(PDSCH)においてデータを受信するようにし、
前記第1のトランシーバーにより前記セルラサブフレーム境界において前記免許不要のチャネルを介して前記付加ダウンリンク(SDL)物理ダウンリンク共有チャネル(PDSCH)を送信する、
ように構成される、
eNodeB。
【請求項２】
前記セルラ無線プロトコルは、第3世代パートナーシップ(3GPP)によって定義されるロングタームエボリューション(LTE)又はロングタームエボリューションアドバンスト(LTE−A)規格ファミリーである、請求項１に記載のeNodeB。
【請求項３】
前記第1の無線プロトコルが、米国電気電子通信学会(IEEE)802．11プロトコルに従ったプロトコルである、請求項１及び２のいずれか１項に記載のeNodeB。
【請求項４】
前記無線予約メッセージは、送信可(CTS)メッセージ又は送信要求(RTS)メッセージのうちの一方である、請求項１及び２のいずれか１項に記載のeNodeB。
【請求項５】
前記コントローラは、バックオフプロセスを実施するように構成され、前記バックオフプロセスが成功するまで、前記コントローラは、前記無線予約メッセージを送信すること、前記ユーザ機器(UE)をスケジューリングすること及び前記付加ダウンリンク(SDL)物理ダウンリンク共有チャネル(PDSCH)を送信することを控えるように構成される、請求項１及び２のいずれか１項に記載のeNodeB。
【請求項６】
前記免許不要のチャネルが、産業科学医療用(ISM)帯域におけるチャネルである、請求項５に記載のeNodeB。
【請求項７】
前記セルラサブフレーム境界は、LTE又はLTE−Aサブフレームの始端となる、請求項１及び２のいずれか１項に記載のeNodeB。
【請求項８】
前記第2のトランシーバーは、免許付与されるチャネルにおいて物理ダウンリンク制御チャネル(PDCCH)を提供するように構成される、請求項１及び２のいずれか１項に記載のeNodeB。
【請求項９】
複数の命令を含むコンピュータプログラムであって、前記複数の命令は、eNodeBの1つ又は複数のプロセッサによって実行されると、前記eNodeBを、少なくとも、
あらかじめ定められた時間的な期間の間に第1のチャネルを検知する動作であって、前記第1のチャネルは無線チャネルであって、前記無線チャネルは、セルラ無線通信のために排他的には免許付与されていない、第1のチャネルを検知する動作と、
前記第1のチャネルが前記あらかじめ定められた時間的な期間の間にアイドルであることを前記第1のチャネルの平均受信電力が示しているということを判定する動作と、
前記第1のチャネルがアイドルであるという判定に応答して、
物理ダウンリンク共有チャネル(PDSCH)の送信のために前記第1のチャネルを予約する無線予約メッセージを前記第1のチャネルにおいて送信する動作であって、前記無線予約メッセージは継続時間フィールドを含み、前記継続時間フィールドは、アイドル期間と前記物理ダウンリンク共有チャネル(PDSCH)の送信のための送信機会(TXOP)期間とを含む継続時間を指定し、前記アイドル期間はセルラサブフレーム境界の始端の前に経過する時間的な期間である、動作と、
前記eNodeBによってサービスを提供される少なくとも1つのユーザ機器(UE)をスケジューリングすることにより、前記少なくとも1つのユーザ機器(UE)が前記第1のチャネルで送信される物理ダウンリンク共有チャネル(PDSCH)においてデータを受信するようにする動作と、
第2のチャネルの制御チャネルを介して前記ユーザ機器(UE)にスケジュールを通信する動作であって、前記第2のチャネルは無線チャネルであって、前記無線チャネルは、セルラ無線通信のために免許付与されている、スケジュールを通信する動作と、
第1のトランシーバーにより前記第1のチャネルを介して前記物理ダウンリンク共有チャネル(PDSCH)を送信する動作と
を行うように構成する、
コンピュータプログラム。
【請求項１０】
前記無線予約メッセージは、米国電気電子通信学会(IEEE)802．11規格ファミリーのうちの1つに従って定義されるメッセージである、請求項９に記載のコンピュータプログラム。
【請求項１１】
前記物理ダウンリンク共有チャネル(PDSCH)を送信する前記動作が、前記eNodeBのサブフレーム境界まで送信することを待つ動作を含む、請求項９に記載のコンピュータプログラム。
【請求項１２】
前記命令は、前記ユーザ機器(UE)をスケジューリングする前にバックオフ手順を実施するように前記eNodeBをさらに構成する、請求項９に記載のコンピュータプログラム。
【請求項１３】
前記eNodeBは、ロングタームエボリューション(LTE)又はロングタームエボリューションアドバンスト(LTE−A)無線プロトコルのうちの一方に従って動作する、請求項９に記載のコンピュータプログラム。
【請求項１４】
方法であって、
eNodeBにおいて、
あらかじめ定められた時間的な期間を通して第1のチャネルの平均エネルギーがあらかじめ定められた閾値を下回るということを第1のトランシーバーにより判定するステップであって、前記第1のチャネルは無線チャネルであって、前記無線チャネルは、セルラ無線のために排他的には免許付与されていない、第1のトランシーバーにより判定するステップと、前記判定に応答して、
ランダムバックオフ期間を選択するステップと、
前記ランダムバックオフ期間を通して前記第1のチャネルの前記平均エネルギーが第2の閾値を下回ることを判定するステップと、
付加ダウンリンク(SDL)物理ダウンリンク共有チャネル(PDSCH)の送信のために前記第1のチャネルを予約する無線予約メッセージを前記第1のチャネルにおいて送信するステップであって、前記無線予約メッセージは継続時間フィールドを含み、前記継続時間フィールドは、アイドル期間と前記付加ダウンリンク(SDL)物理ダウンリンク共有チャネル(PDSCH)の送信のための送信機会(TXOP)期間とを含む継続時間を指定し、前記アイドル期間はセルラサブフレーム境界の始端の前に経過する時間的な期間である、ステップと、
前記eNodeBによってサービスを提供される少なくとも1つのユーザ機器(UE)をスケジューリングすることにより、前記少なくとも1つのユーザ機器(UE)が前記第1のチャネルにおける付加ダウンリンク(SDL)物理ダウンリンク共有チャネル(PDSCH)においてデータを受信するようにするステップと、
第2のトランシーバーにより第2のチャネルで物理ダウンリンク制御チャネル(PDCCH)を送信することによって、前記UEにスケジュールを通信するステップであって、前記第2のチャネルは無線チャネルであり、前記無線チャネルは、セルラ無線のために免許付与されている、スケジュールを通信するステップと、
前記第1のトランシーバーにより前記セルラサブフレーム境界において免許不要のチャネルを介して前記付加ダウンリンク(SDL)物理ダウンリンク共有チャネル(PDSCH)を送信するステップと、を含む、
方法。
【請求項１５】
前記第2のチャネルで物理ダウンリンク共有チャネル(PDSCH)を提供するステップを含む、請求項１４に記載の方法。
【請求項１６】
前記免許不要のチャネルが、2．4[GHz]と2．5[GHz]との間の周波数である、請求項１４に記載の方法。
【請求項１７】
前記無線予約メッセージはブロードキャストメッセージである、請求項１４に記載の方法。
【請求項１８】
前記無線予約メッセージは送信可(CTS)メッセージである、請求項１７に記載の方法。
【請求項１９】
前記無線予約メッセージは1つの継続時間フィールドを有し、前記1つの継続時間フィールドは、少なくとも、前記セルラサブフレーム境界までの時間に物理ダウンリンク共有チャネル(PDSCH)サブフレームを送信するのに必要とされる時間を加算した値に設定される、請求項１７に記載の方法。
【請求項２０】
前記あらかじめ定められた閾値及び前記第2の閾値が同じ値である、請求項１７に記載の方法。
【請求項２１】
eNodeBであって、
あらかじめ定められた時間的な期間を通して第1のチャネルの平均エネルギーがあらかじめ定められた閾値を下回るということを第1のトランシーバーにより判定する手段であって、前記第1のチャネルは無線チャネルであり、前記無線チャネルは、セルラ無線のために排他的には免許付与されていない、第1のトランシーバーにより判定する手段と、前記判定に応答して、
ランダムバックオフ期間を選択する手段と、
前記ランダムバックオフ期間を通して前記第1のチャネルの前記平均エネルギーが第2の閾値を下回ることを判定する手段と、
付加ダウンリンク(SDL)物理ダウンリンク共有チャネル(PDSCH)の送信のために前記第1のチャネルを予約する無線予約メッセージを前記第1のチャネルにおいて送信する手段であって、前記無線予約メッセージは継続時間フィールドを含み、前記継続時間フィールドは、アイドル期間と前記付加ダウンリンク(SDL)物理ダウンリンク共有チャネル(PDSCH)の送信のための送信機会(TXOP)期間とを含む継続時間を指定し、前記アイドル期間はセルラサブフレーム境界の始端の前に経過する時間的な期間である、手段と、
当該eNodeBによってサービスを提供される少なくとも1つのユーザ機器(UE)をスケジューリングすることにより、前記少なくとも1つのユーザ機器(UE)が前記第1のチャネルにおける前記付加ダウンリンク(SDL)物理ダウンリンク共有チャネル(PDSCH)においてデータを受信するようにする手段と、
第2のトランシーバーにより第2のチャネルで物理ダウンリンク制御チャネル(PDCCH)を送信することによって、前記ユーザ機器(UE)にスケジュールを通信する手段であって、前記第2のチャネルは無線チャネルであり、前記無線チャネルは、セルラ無線のために免許付与されている、スケジュールを通信するための手段と、
前記第1のトランシーバーにより前記セルラサブフレーム境界において免許不要チャネルを介して前記付加ダウンリンク(SDL)物理ダウンリンク共有チャネル(PDSCH)を送信する手段と、を含む、
eNodeB。
【請求項２２】
請求項９乃至１３のいずれか1項に記載のコンピュータプログラムを格納する非一時的機械読み取り可能な記憶媒体。
【発明の詳細な説明】
【技術分野】
【０００１】
優先権の主張
本特許出願は、２０１４年６月３０に提出された米国仮特許出願第６２／０１９，３１６号に基づく優先権の利益を主張する、２０１５年３月２６日に提出された米国特許出願第１４／６６９，７３６号に基づく優先権の利益を主張する。それらの両方の全体が参照により本明細書に組み込まれる。
【０００２】
実施形態は、セルラ無線技術に関する。いくつかの実施形態は、免許不要の通信帯域において動作するセルラ無線技術に関する。
【背景技術】
【０００３】
セルラ技術は、一般的に、免許付与される周波数スペクトラムにおいて動作する。免許付与される周波数スペクトラムは、通常、使用のために（例えば、無線通信事業者等の）特定のエンティティに排他的に割り当てられている周波数範囲である。利用可能な免許付与される周波数スペクトラムは限られており、セルラ無線サービスに対する需要は増大しているため、使用のために利用可能な自由に割り当てられるスペクトラムの量は限られている。
【０００４】
免許付与される周波数スペクトラムとは対照的に、様々な免許不要周波数スペクトラムが存在し、それらの免許不要周波数スペクトラムは、エンティティが法的承認を得ることなく一定の周波数を使用することを可能にする。これらの周波数は、それらを使用することを所望するデバイスの間で共有され、それらのスペクトラムを使用するデバイスは、当該デバイスが他のデバイスとの間でそれらのスペクトラムを共有することを可能にするプロトコルを有する。これらの免許不要スペクトラムは、セルラ無線使用のために主に免許付与されているものではないことが多く、これらのスペクトラムは、他のデバイスによる競合又は利用の対象とされることが多い。
【図面の簡単な説明】
【０００５】
添付される図面は、必ずしも原寸に比例して描かれているとは限らず、それらの図面において、同様の参照符号は、複数の異なる図において同様の構成要素を記述し得る。異なる添え字を有する同様の参照符号は、同様の構成要素の異なる事例を表し得る。図面は、一般的に、限定ではなく例として、本明細書において論じられている様々な実施形態を示している。
【０００６】
【図１Ａ】本開示のいくつかの例に従ったリッスン・ビフォア・トーク（ＬＢＴ）方法のタイムラインの図である。
【図１Ｂ】本開示のいくつかの例に従ったＬＢＴ方法のフローチャートである。
【図２Ａ】本開示のいくつかの例に従ったＬＢＴ方法のタイムラインの図である。
【図２Ｂ】本開示のいくつかの例に従ったＬＢＴ方法のフローチャートである。
【図３】本開示のいくつかの例に従ったバックオフを用いるＬＢＴ方法のフローチャートである。
【図４】本開示のいくつかの例に従ったセルラ無線デバイスの概略図である。
【図５】１つ又は複数の実施形態を実施することができる機械の一例を示すブロック図である。
【発明を実施するための形態】
【０００７】
ロングタームエボリューション（ＬＴＥ）等のセルラ無線プロトコルの免許付与されるスペクトラムに対する需要が増大するにつれて、ＬＴＥシステムの設計者らは、これらの免許付与されるプロトコルを、免許不要の周波数において使用することを探求し始めている。セルラ及び他の免許付与されるプロトコルを免許不要の周波数において使用すると、いくつかの課題に直面する。
【０００８】
例えば、（基地局又はスマートフォン等のモバイルデバイス等の）セルラ無線デバイスは、免許付与されるチャネルを使用し、これらの免許付与されるチャネルは、これらのデバイスが特定の無線チャネルを排他的に使用する権利を有することを保証する。「チャネル」とは、無線通信に使用される（通常は連続しているが、常に連続しているとは限らない）周波数の帯域である。結果として、これらのセルラプロトコルの設計上の前提は、これらのセルラプロトコルが動作する周波数に対してそれらのセルラ無線デバイスが排他的にアクセスすることができるということである。それらのプロトコルは、通常、同じネットワークに関与する他のデバイスの間で協調させることのみに関係する。例えば、ＬＴＥシステムにおいて、基地局（ｅＮｏｄｅＢ）は、通常、ｅＮｏｄｅＢと関連付けられている１つ又は複数のユーザ機器（ＵＥ）からの送信及び受信を協調させる。ｅＮｏｄｅＢは、通常、データの送信及び受信を計画する際に、他のネットワーク内の他のユーザを考慮しない。セルラ無線ネットワークが修正なしに免許不要のチャネルにおいて送信を開始する場合には、セルラ無線デバイスは、絶え間なく送信及び受信することになるであろう。このことは、他のデバイスがそのチャネルを利用することを妨げる。
【０００９】
対照的に、免許不要のチャネルにおいて動作するデバイスは、（例えば、単一のオペレータによって制御される）単一のネットワークにおいて動作するデバイスだけでなく、多くの異なるネットワークにおいて動作するデバイス及び他のプロトコルを使用して動作するデバイスをも考慮する。例えば、米国電気電子通信学会（ＩＥＥＥ）によって定義されている８０２．１１規格等の無線プロトコル（Ｗｉ−Ｆｉ）に従って動作するデバイスは、それら自体のネットワーク（すなわち、基本サービスセット−ＢＳＳ）内のデバイスだけでなく、他のＢＳＳ内のデバイス、及び、実際には、それらが無線媒体を使用することができるか否かを判定する前に他のプロトコルを作動させているデバイスをも考慮する。
【００１０】
それゆえ、免許不要のチャネルにおいて動作するセルラ無線プロトコルを、セルラ無線プロトコルが他のデバイスと免許不要のチャネルを共有することを可能にする方法で適合させるための方法が必要とされている。いくつかの例において、システム、機械読み取り可能な媒体、方法、及びセルラ無線デバイスが開示され、それらのシステム等は、免許不要の帯域においてセルラ無線プロトコルに従って動作しているデバイスのためのリッスン・ビフォア・トーク（Ｌｉｓｔｅｎ  Ｂｅｆｏｒｅ  Ｔａｌｋ（ＬＢＴ））アクセススキームを実施する。セルラ無線デバイスは、免許不要のスペクトラム内の（特定のスペクトラム内の規定の周波数範囲の）チャネルが特定の期間にわたってアイドルであるとＬＢＴアクセススキームが判定した後に、免許不要のチャネルにおいてセルラ無線プロトコルを利用することができる。
【００１１】
本明細書において使用される「セルラ無線デバイス」は、セルラ無線プロトコルに従って動作しているいずれかのデバイスを意味する。「セルラ無線プロトコル」は、セルと呼ばれる地上領域にわたって分散されているセルラ無線ネットワークを規定するワイヤレスプロトコルであり、各セルが、セルサイト又は基地局として知られている少なくとも１つの固定位置トランシーバーによってサービスされる。これらのセルサイトは、広い地理的領域にわたって無線サービスを提供するために相互接続される。
免許不要のチャネルにおける送信のために適合することができる例示的なセルラ無線プロトコルは、第３世代パートナーシッププロジェクト（３ＧＰＰ）によって広められているＬＴＥ規格ファミリー、３ＧＰＰによって広められているユニバーサル移動体通信システム（ＵＭＴＳ）規格ファミリー、グローバル・システム・フォー・モバイル・コミュニケーションズ（ＧＳＭ）規格ファミリー等のうちの１つに従ったセルラ無線プロトコルを含む。セルラ無線デバイスは、ＮｏｄｅＢ若しくはｅＮｏｄｅＢ等の基地局であってもよく、又は、ユーザ機器（ＵＥ）等のモバイルデバイスであってもよい。
【００１２】
セルラ無線デバイスは、送信及び免許不要の帯域上で使用される他のパラメータを制御するために免許付与される帯域を使用することができる。これは、ＣＳＩフィードバック、ＰＤＣＣＨ上でのスケジューリング決定などを含み得る。
【００１３】
免許不要のチャネルにおけるセルラ無線デバイスの例示的な送信は、これらのセルラプロトコルのレイヤ１、レイヤ２、レイヤ３、及び他の層、例えば、物理（ＰＨＹ）層、媒体アクセス制御（ＭＡＣ）層、無線リンク制御（ＲＬＣ）層、パケットデータ収束プロトコル（ＰＤＣＰ）、及び無線リソース制御（ＲＲＣ）層のうちの１つ又は複数をサポートするための送信を含む。免許不要の周波数において送信されるチャネルは、いずれかのアップリンクデータチャネル、アップリンク制御チャネル、ダウンリンクデータチャネル、及びダウンリンク制御チャネルを含んでもよい。複数の例は、物理ダウンリンク共有チャネル（ＰＤＳＣＨ）、物理アップリンク共有チャネル（ＰＵＳＣＨ）、物理ダウンリンク制御チャネル（ＰＤＣＣＨ）、及び物理アップリンク制御チャネル（ＰＵＣＣＨ）のうちの１つ又は複数を含む。
【００１４】
いくつかの例において、（例えば、ｅＮｏｄｅＢ等の）セルラ基地局等のセルラ無線デバイスは、セルに、免許付与されるスペクトラムにおけるアップリンク及びダウンリンク機能を提供することができ、免許不要のスペクトラムにおける付加的なダウンリンク（ＳＤＬ）チャネルをも提供することができる。ＳＤＬチャネルは、ＰＤＳＣＨ等の１つ又は複数のＬＴＥチャネルを搬送することができる。免許不要のチャネルがアイドルであり、干渉がないことを保証するために、ＬＢＴ技法をＳＤＬチャネルに適用することができる。他の例において、免許不要のチャネル上のアップリンクチャネルについて、ＵＥは、ＬＢＴメカニズムを実装するセルラ無線デバイスであってもよい。いくつかの例において、ＳＤＬは、一次（免許付与される）周波数上のＰＤＣＣＨ上でスケジューリングすることができる。例えば、ＵＥは、免許不要の周波数上のＳＤＬ  ＰＤＳＣＨ上で（すなわち、クロスキャリアスケジューリングを使用して）データを受信するために、免許付与される周波数のＰＤＣＣＨ上でスケジューリングすることができる。いくつかの例において、免許不要のチャネルをスケジューリングするＰＤＣＣＨは、免許不要のチャネル上で送信することができる。
【００１５】
セルラ無線プロトコルの複数の態様は、免許不要の周波数スペクトラム内で動作するために、本明細書において開示されている１つ又は複数の方法で修正することができる。例えば、ＬＢＴアクセススキームは、セルラ無線デバイスによってセルラ無線プロトコルにおいて実施することができる。いくつかの例において、免許不要の帯域のためのＬＢＴアクセスモードを実施しているセルラ無線デバイスは、（あらかじめ定められた時間的な期間である）チャネルリッスン時間の間にチャネルをリッスンすることができる。チャネルがチャネルリッスン時間の間アイドルである場合、セルラ無線デバイスは、チャネルが送信に利用可能であると判断することができる。
【００１６】
いくつかの例において、セルラ無線デバイスは、チャネルリッスン時間にわたるチャネル上の平均検出電力を、所定の電力レベル閾値と比較することによって、チャネルがアイドルであることを判定してもよい。平均検出電力が電力レベル閾値を下回る場合、チャネルは送信に利用可能であると考えることができ、そうではなく、平均検出電力が電力レベル閾値を上回る場合、チャネルはビジーであると考えることができる。
【００１７】
代替的に、チャネルリッスン時間の全体にわたって平均検出電力を使用する代わりに、チャネルリッスン時間のいずれかの時点において検出チャネル電力が電力レベル閾値を超える場合、セルラ無線デバイスはチャネルがビジーであると判断してもよい。そうではなく、チャネルリッスン時間のいずれの時点においても検出チャネル電力が電力レベル閾値を超えない場合、セルラ無線デバイスはチャネルが利用可能であると考えてもよい。
【００１８】
媒体が利用可能であるとセルラ無線デバイスが判定すると、非同期モードにおいて、セルラ無線デバイスは直ちに送信することができる。他の例では、同期モードにおいて、無線媒体が利用可能であるという判定に応答して、セルラ無線デバイスは、媒体予約技術を使用して媒体を予約し、送信する前にセルラ無線プロトコルのサブフレーム境界を待つことができる。
【００１９】
ここで図１Ａを参照すると、ＬＢＴメカニズムを使用して免許不要のチャネルにおいて非同期的に動作するセルラ無線デバイスのタイムライン１０００が示されている。デバイスは、チャネルリッスン時間１０１０の間にチャネルの電力レベルを測定する。図１Ａにおいて、チャネルリッスン時間１０１０はＷ[μｓ]である。いくつかの例において、デバイスは、チャネルリッスン時間１０１０の間にキャリアセンシング（ＣＳ）を実行し、その期間にわたって受信される平均電力を測定することによって、媒体がアイドルであることを判定する。この期間の間に受信される平均電力が（例えば、−６２[ｄＢｍ]の）電力レベル閾値を下回る場合、セルラ無線デバイスは、媒体がアイドルであり、送信に利用可能であると判断することができる。いくつかの例において、媒体がアイドルであることを検出するこの方法は、Ｗｉ−Ｆｉキャリアセンシングの方法とは異なっている。Ｗｉ−Ｆｉキャリアセンシングにおいては、Ｗｉ−Ｆｉデバイスは、エネルギー検出メカニズム及び信号検出メカニズムの両方を使用する。Ｗｉ−Ｆｉデバイスが信号検出メカニズムを使用してＷｉ−Ｆｉ信号を検出した場合、Ｗｉ−Ｆｉデバイスは、チャネルが占有されていると推測する。いくつかの例において、本明細書において開示されているＬＢＴ方法は、エネルギー検出メカニズムのみを使用し、Ｗｉ−Ｆｉ信号検出メカニズムは使用しない。
【００２０】
媒体がアイドルになると、セルラ無線デバイスは、選択的に、予約メッセージ（ＲＳＲＶ）１０２０を送信することができる。この予約メッセージは、いずれかの送信であってもよく、免許不要のチャネルのチャネル上で動作している１つ又は複数のプロトコルのチャネルセンスメカニズムがチャネルをビジーと考えるようにトリガするようにその送信を設計してもよい。１つの例示的な予約メッセージ１０２０は、一定の電力レベルを上回る単純な送信であってもよく、他の無線デバイスが、チャネル上でこのエネルギーを検出し、このエネルギーに基づいてそのチャネルがアイドルでないと判定するようにトリガするようにその一定の電力レベルを上回る送信を設計してもよい。
【００２１】
いくつかの例において、このメッセージは、免許不要の帯域において動作している無線プロトコルに特有のものであってもよい。例えば、Ｗｉ−Ｆｉメッセージは、免許不要のチャネル上のセルラ無線デバイスによって送信されてもよい。この予約メッセージは、チャネルを、セルラ無線デバイスの送信のために予約することができる。いくつかの例において、このメッセージは、Ｗｉ−Ｆｉ送信要求（ＲＴＳ）又は送信可（ＣＴＳ）メッセージであってもよい。これらのメッセージは、セルラ無線プロトコル回路を、他のプロトコルのこれらのメッセージを送信するように修正することによって送信することができ、又は、（例えば、ｅＮｏｄｅＢにＷｉ−Ｆｉチップを追加するといったように）他のプロトコルのメッセージを送信するためのプロトコル回路を追加することによって送信することができる。ＲＴＳ又はＣＴＳメッセージは、期間フィールドを有してもよく、その期間フィールドは、セルラ無線デバイスが免許不要のチャネルを必要とする継続期間を指定してもよい。
【００２２】
ＲＴＳ／ＣＴＳメッセージは、１つ又は複数のセルラ無線デバイスに送信されてもよい。ＲＴＳ／ＣＴＳメッセージは、意図されているＵＥにブロードキャストされてもよい。意図されているＵＥは、チャネルがアイドルであるか否かを検出することができる。ＲＴＳ／ＣＴＳは、時分割多重化又は周波数分割多重化スキームで送信することができる。
【００２３】
セルラ無線デバイスは、その後、セルラプロトコルを使用して送信１０３０することができる。セルラ無線デバイスは、制御又はユーザデータを搬送する１つ又は複数のアップリンク又はダウンリンクセルラ無線チャネルを送信することができる。いくつかの例において、セルラ無線デバイスは、１つ又は複数の無線サブフレームを送信してもよい。
【００２４】
図１Ｂは、本開示のいくつかの例に従ったセルラ無線デバイスのための非同期ＬＢＴメカニズムを利用する１つの例示的な方法１１００を示す。動作１１１０において、セルラ無線デバイスは、チャネルリッスン時間（例えば、Ｗ[μｓ]）の間にチャネルを検知する。動作１１２０において、セルラ無線デバイスは、チャネルがアイドルであるか否かを判定する。いくつかの例において、セルラ無線デバイスは、チャネルリッスン時間の間に平均受信電力が電力レベル閾値を下回ると判定することによって、チャネルがアイドルであるか否かを判定する。チャネルがアイドルであると判断できない場合、デバイスは前の状態に復元し、チャネルがアイドルであると判断できるまで動作１１１０及び１１２０を反復してもよい。チャネルがアイドルであると判断されると、動作１１３０において、セルラ無線デバイスは、送信機会（ＴＸＯＰ）の継続期間の間にデータを送信してもよい。いくつかの例において、動作１１３０においてデータを送信する前に、セルラ無線デバイスは、予約メッセージを送信してもよい。いくつかの例において、Ｗは３４μｓであってもよい。
【００２５】
ここで図２Ａを参照すると、ＬＢＴメカニズムを使用して免許不要のチャネルにおいて同期的に動作するセルラ無線デバイスのタイムライン２０００が示されている。デバイスは、媒体がチャネルリッスン時間２０１０の間アイドルであることを検知する。図２Ａにおいて、チャネルリッスン時間２０１０はＷ[μｓ]である。いくつかの例において、デバイスは、チャネルリッスン時間の間にキャリアセンシング（ＣＳ）を実行し、受信される平均電力を測定することによって、媒体がアイドルであることを判定する。この期間の間に受信される平均電力が電力レベル閾値を下回る場合、セルラ無線デバイスは、媒体がアイドルであると判断してもよい。
【００２６】
媒体がアイドルになると、セルラ無線デバイスは、予約メッセージ（ＲＳＲＶ）２０２０を送信してもよい。いくつかの例において、予約メッセージ２０２０は、Ｗｉ−Ｆｉメッセージ等の別の無線プロトコルからのメッセージであってもよく、セルラ無線デバイスによって送信されてもよい。このメッセージは、セルラ無線デバイスの送信のために無線媒体を予約してもよい。いくつかの例において、このメッセージは、ＣＴＳ又はＲＴＳメッセージであってもよい。これらのメッセージは、セルラ無線プロトコル回路を、他のプロトコルのメッセージを送信するように修正することによって送信されてもよく、又は、（例えば、ｅＮｏｄｅＢにＷｉ−Ｆｉチップを追加するといったように）他のプロトコルのメッセージを送信するためのプロトコル回路を追加することによって送信されてもよい。
【００２７】
図２Ａの場合に、予約メッセージ２０２０は、所望の送信機会（ＴＸＯＰ）２０４０の間にセルラ無線デバイスのための無線媒体、及び、（例えば、サブフレーム境界を待つのに十分な時間等の）同期されている時間においてデータを送信するための時間量を予約する。例えば、予約メッセージ２０２０は、ＴＸＯＰ（送信２０４０）とアイドル期間２０３０とを加算した合計であってもよく、アイドル期間２０３０は、セルラ無線プロトコルの次のサブフレームの開始前に経過した期間である。
【００２８】
図２Ｂは、本開示のいくつかの例に従ったセルラ無線デバイスの同期ＬＢＴメカニズムを利用する例示的な方法２１００を示す。動作２１１０において、セルラ無線デバイスは、（例えば、Ｗ[μｓ]の）チャネルリッスン時間にわたってチャネルを検知する。動作２１２０において、セルラ無線デバイスは、チャネルがアイドルであるか否かを判定する。いくつかの例において、セルラ無線デバイスは、チャネルリッスン時間の間の平均受信電力が電力レベル閾値を下回ることを判定することによって、チャネルがアイドルであることを判定する。チャネルがアイドルであると判断できない場合、デバイスは前の状態に復元し、チャネルがアイドルであると判断できるまで動作２１１０及び２１２０を反復してもよい。チャネルがアイドルであると判断できると、動作２１３０において、セルラ無線デバイスは、サブフレームに対して位置合わせし、送信機会の継続期間の間にデータを送信する。いくつかの例において、動作２１３０においてデータを送信する前に、セルラ無線デバイスは、予約メッセージを送信してもよい。
【００２９】
いくつかの例において、ＬＢＴ技法は、バックオフ手順を含んでもよく、多数の送信機の存在下での衝突を回避してもよい。図３は、バックオフ手順を含むＬＢＴ技術の方法の一例を示す。ステップ３０１０において、セルラ無線デバイスは、チャネルリッスン時間の間にチャネルを検知する。ステップ３０２０において、平均受信電力が電力レベル閾値以上である場合、ステップ３０１０において、セルラ無線デバイスはチャネルを検知し続けてもよい。ステップ３０２０において受信電力が電力レベル閾値を下回る場合、かつ、セルラ無線デバイスがステップ３０３０においてバックオフを実施しないよう決定した場合、セルラ無線デバイスは、ステップ３０４０において送信機会の継続期間の間にデータを送信することができる。図１及び図２に関連して述べたように、セルラ無線デバイスは予約メッセージを送信することができ、いくつかの例において、サブフレーム境界に対して位置合わせしてもよい。
【００３０】
ステップ３０３０において、バックオフ動作が実施されるべきであるとセルラ無線デバイスが判定した場合、ステップ３０５０において、セルラ無線デバイスは、絶対的な最小値（ＭＩＮ）と現在の最大値（ＣＷＴ）との間のランダムバックオフ競合ウィンドウ（ＣＷ）を計算してもよい。ＣＷＴは、最初にＭＩＮレベルに設定されてもよい。ステップ３０６０において、セルラ無線デバイスは、競合ウィンドウＣＷを小さくしてもよい。ステップ３０７０において、ＣＷがゼロであるか否かが判定される。ＣＷがゼロである場合、セルラ無線デバイスは、ステップ３０４０に進んで、免許不要のチャネルを介してデータを送信してもよい。動作３０７０においてＣＷがゼロでない場合、セルラ無線デバイスは、ステップ３０８０において、Ｘ[μｓ]の間にチャネルを検知する。いくつかの例において、Ｘは９[μｓ]である。Ｘ及びＷは同じ値であってもよく、又は、異なる値であってもよい。いくつかの例において、ＭＩＮは３であってもよく、ＭＡＸは１０２３であってもよい。
【００３１】
ステップ３０９０において、受信電力が所定の閾値を下回る場合、セルラ無線デバイスはステップ３０６０においてＣＷを減少させ、セルラ無線デバイスは、ＣＷがゼロになる（その時点において、セルラ無線デバイスは、ステップ３０４０において免許不要のチャネル上で送信する）まで、又は、受信電力がステップ３０９０において閾値以上になるまで、動作３０７０、３０８０、及び３０９０を繰り返す。ステップ３０９０において、受信電力が閾値以上である場合、ステップ３０９５において、セルラ無線デバイスはステップ３０１０に戻る。いくつかの例において、ステップ３０９０における閾値電力レベルは、ステップ３０２０における閾値電力レベルと同じであってもよく、又は、異なってもよい。いくつかの例において、閾値は、−６２[ｄｂｍ]であってもよい。ＣＷがゼロになると、バックオフプロセスは成功したと判断されてもよい。
【００３２】
ステップ３０４０においてデータが送信されると、いくつかの例において、セルラ無線デバイスは、送信中に衝突が発生したか否かを判定してもよい。いくつかの例において、これを行うために、セルラ無線デバイスは、ステップ３１００において、トランスポートブロックエラー（ＴＢＥ）レートを計算してもよい。ステップ３１１０において、ＴＢＥと所定のエラー閾値とを比較してもよい。いくつかの例において、所定のエラー閾値は０．５であってもよい。ＴＢＥが所定のエラー閾値を下回る場合、セルラ無線デバイスは、送信が成功しており、干渉されなかったと推測してもよい。この場合には、ステップ３１２０において、現在の最大値ＣＷＴをＭＩＮ値に設定してもよく、この値は、次にＣＷが判定されるときに使用することができる。この時点において、次にセルラ無線デバイスが送信すべきデータを有し、ステップ３０１０において動作をやり直すまで、フローは継続する。ＴＢＥがあらかじめ定められた閾値以上である場合、セルラ無線デバイスは、ステップ３１３０において、現在の最大値ＣＷＴを、大域最大値ＭＡＸまで、以前のＣＷＴの２倍になるように設定してもよい。ステップ３０５０において新たなバックオフＣＷが選択され、セルラ無線デバイスがエラーを含むブロックを再送信すると、バックオフプロセスが繰り返される。
【００３３】
Ｗｉ−Ｆｉとは対照的に、本明細書において開示されているＬＢＴメカニズムは、いくつかの例において、トランスポートブロックエラー測定を利用する。ＴＢＥは特にセルラ無線プロトコルによって規定されているが、通常、データの送信が、物理／ＭＡＣ層レベルにおいて無線でどの程度成功するかに関する尺度である。ＬＴＥについて、トランスポートブロックの復号に成功した場合、送信は成功する。受信機によって計算される巡回冗長検査（ＣＲＣ）がトランスポートブロックにおいて送信されるＣＲＣに一致したとき、復号は成功する。ＴＢＥは、成功したブロックの割合又は比である。対照的に、Ｗｉ−Ｆｉは、パケットの確認応答の受信の失敗が衝突を示すと仮定する。
【００３４】
すでに述べたように、いくつかの例では、ステップ３０４０において、セルラ無線デバイスは、他の無線デバイスが媒体にアクセスするのを妨げるために、予約メッセージを送信してもよい。また、ステップ３０４０において、セルラ無線デバイスは、送信の前にセルラサブフレーム境界を待ってもよい。
【００３５】
ここで図４を参照すると、いくつかの例に従ったセルラ無線デバイス４０００の概略図が示されている。セルラ無線デバイス４０００は、免許付与されるセルラプロトコルを使用して通信することが可能であるいずれかのデバイスであってもよい。セルラ無線デバイス４０００は、ｎｏｄｅＢ、ｅＮｏｄｅＢ、ＵＥ、基地トランシーバー局（ＢＴＳ）、Ｗｉ−Ｆｉアクセスポイント、携帯電話、スマートフォン、デスクトップコンピュータ、ラップトップコンピュータ、（例えば、心拍数モニタ、血圧モニタ等の）医療デバイス、（例えば、コンピューティンググラス、スマートウォッチ等の）ウェアラブルデバイス等であってもよい。
【００３６】
セルラ無線デバイス４０００は、第１の無線トランシーバー４０３０と、第２の無線トランシーバー４０４０と、制御回路４０２０とを含んでもよく、制御回路４０２０は、第１の無線トランシーバー及び第２の無線トランシーバーを制御する。第１の無線トランシーバー４０３０は、免許不要チャネル上で動作してもよく、いくつかの例において、セルラ無線プロトコルではない無線プロトコルを実装してもよい。いくつかの例において、第１の無線トランシーバー４０３０は、ＩＥＥＥ８０２．１１無線プロトコル、Ｂｌｕｅｔｏｏｔｈ無線プロトコル、Ｂｌｕｅｔｏｏｔｈ  Ｌｏｗ  Ｅｎｅｒｇｙ（ＢＬＥ）無線プロトコル、Ｚｉｇｂｅｅ無線プロトコル等の免許不要のチャネルにおいて動作する無線プロトコルを実装してもよい。いくつかの例において、第１の無線トランシーバー４０３０は、免許不要のチャネルが他のトラフィックによって占有されているか否かを判定してもよい。いくつかの例において、第１のトランシーバー４０３０は、免許不要のチャネル上の電力レベルを検出してもよく、平均電力レベルがあらかじめ定められた時間的な期間の間に特定の閾値を下回る場合、制御回路４０２０は、チャネルが占有されていないと判定してもよい。平均電力レベルがあらかじめ定められた時間的な期間の間に特定の閾値を上回る場合、制御回路４０２０は、チャネルが占有されていると判定してもよい。チャネルが占有されている場合、制御回路４０２０は、第１のトランシーバー４０３０に、受信した平均電力レベルがあらかじめ定められた時間的な期間の間にあらかじめ定められた閾値を下回るまでチャネルを検知し続けるように指示してもよい。
【００３７】
チャネルが占有されていないと判断されると、制御回路４０２０は、バックオフプロセスを制御してもよい。制御回路４０２０は、第１のトランシーバー４０３０と協働して、ランダム競合ウィンドウを選択すること、競合ウィンドウを小さくすること、第１のトランシーバー４０３０を使用してＸ[μｓ]の間チャネルを検知すること、バックオフ期間が終わっているか、又は、バックオフ期間の間にチャネル上で活動が検出されるかを判定すること、チャネルリッスン期間の間に免許不要のチャネル上の電力レベルを検出することによって媒体が空いているか否かを再び判定するように第１のトランシーバー４０３０にシグナリングすること等の図３の動作が実施されるようにしてもよい。制御回路及び第１のトランシーバーが、チャネルが再び空いていると判定すると、制御回路４０２０は元の状態に戻り、再びバックオフ手順を実施する。
【００３８】
第２の無線トランシーバー４０４０は、セルラ無線プロトコルを実装してもよく、通常、免許付与される周波数にわたって送信してもよい。例示的なセルラ無線プロトコルは、ロングタームエボリューション（第３世代パートナーシッププロジェクト（３ＧＰＰ）によって広められているＬＴＥ規格ファミリー）、３ＧＰＰによって広められているユニバーサル移動体通信（ＵＭＴＳ）、世界規模相互運用マイクロ波アクセス（ＷｉＭＡＸ）として知られている米国電気電子通信学会（ＩＥＥＥ）８０２．１６規格等を含んでもよい。第２のトランシーバー４０４０は、通信を可能にするために、セルラ無線プロトコルの１つ又は複数のプロトコル層を提供してもよい。例えば、セルラ無線デバイス４０００がｅＮｏｄｅＢである場合、第２のトランシーバー４０４０は、ｅＮｏｄｅＢを実装するための機能を提供する。セルラ無線デバイス４０００がＵＥである場合、第２のトランシーバー４０４０は、セルラネットワークに接続し、そのネットワークにわたってデータを転送するための機能を提供する。第２のトランシーバー４０４０は、免許付与される帯域幅を利用してもよいが、免許不要の帯域幅にわたってデータを送信及び受信するための回路を有してもよい。
【００３９】
制御回路４０２０は、第１のトランシーバー４０３０及び第２のトランシーバー４０４０を制御してもよい。免許不要のチャネルがセルラ無線プロトコルのために使用されるべきであると制御回路４０２０が判定すると、制御回路４０２０は、第１のトランシーバー４０３０を使用してチャネルがいつ空くかを判定し、いくつかの例において、第１のトランシーバー４０３０を介してチャネル予約メッセージを使用してチャネルを予約してもよい。チャネルが空くと、制御回路４０２０は、第１のトランシーバー４０３０又は第２のトランシーバー４０４０のいずれかに、免許不要の帯域上で送信するように指示してもよい。
【００４０】
いくつかの例において、セルラ無線デバイス４０００は、免許不要のチャネル上で予約メッセージを送信してもよい。いくつかの例において、予約メッセージは、（例えば、サブフレーム等の）セルラデータ転送の継続期間に設定してもよい期間フィールドを有する。いくつかの例において、セルラ無線デバイス４０００は、サブフレーム境界まで送信を開始しなくてもよい。これらの例において、予約メッセージが送信される場合、予約メッセージは、セルラデータ転送の継続期間と次のサブフレーム境界までの時間量との合計に等しい継続期間を有してもよい。
【００４１】
送信後、制御回路４０２０は、送信が成功したか否かを判定してもよい。いくつかの例において、ＴＢＥ測定値があらかじめ定められた閾値を下回る場合、送信は成功したと判断されてもよい。ＴＢＥ測定値があらかじめ定められた閾値を下回る場合、（例えば、図３の動作３０５０において）ランダム選択に使用される最大値を最小値（ＭＩＮ）に設定することによって、次の送信の競合ウィンドウを、最小の競合ウィンドウ値（ＭＩＮ）に設定してもよい。
【００４２】
ＴＢＥ測定値があらかじめ定められた閾値以上である場合、次の競合ウィンドウが２倍にされてもよく、データを再送信するためにバックオフプロセスを開始してもよい。
【００４３】
図５は、本明細書において論じられている（例えば、方法等の）複数の技術のうちのいずれか１つ又は複数を実施することができる例示的な機械５０００のブロック図を示す。代替的な実施形態において、機械５０００は、独立型デバイスとして動作してもよく、又は、他の機械に接続（例えば、ネットワーク接続）されてもよい。ネットワーク接続の配置において、機械５０００は、サーバ−クライアントネットワーク環境におけるサーバ機械、クライアント機械、又は両方として動作してもよい。一例において、機械５０００は、ピアツーピア（Ｐ２Ｐ）（又は他の分散）ネットワーク環境内のピア機械として動作してもよい。機械５０００は、セルラ無線デバイス、無線デバイス等であってもよい。例示的なセルラ無線デバイスは、ｅＮｏｄｅＢ、ＵＥ、パーソナルコンピュータ（ＰＣ）、タブレットＰＣ、セットトップボックス（ＳＴＢ）、パーソナルディジタルアシスタント（ＰＤＡ）、携帯電話、ウェブアプライアンス、ネットワークルータ、スイッチ、若しくはブリッジ、又は、その機械によって行われるべき動作を指定する（順次的な又は順次的でない）命令を実行することが可能ないずれかの機械を含む。さらに、単一の機械のみが図示されているが、「機械」という用語はまた、複数の機械のいずれかの集合を含むように解釈されるべきであり、それらの複数の機械の集合は、クラウドコンピューティング、サービス型ソフトウェア（ＳａａＳ）、又は他のコンピュータクラスタ構成等の個々に又は共同で本明細書において論じられている方法のうちの１つ又は複数のいずれかを実施するための命令のセット（又は複数のセット）を実行してもよい。
【００４４】
複数の例は、本明細書に記載されているように、論理又はいくつかの構成要素、モジュール、回路、又はメカニズムを含んでもよく、又はそれらの上で動作してもよい。モジュール及び回路は、指定の動作を実施することが可能な（例えば、ハードウェア等の）有体物であってもよく、一定の様式で構築又は構成されてもよい。一例において、回路は、指定の様式で回路として（例えば、他の回路等の外部エンティティの内部に又はそれに対して）構成されてもよい。一例において、（例えば、独立型、クライアント、又はサーバコンピュータシステム等の）１つ若しくは複数のコンピュータシステム又は１つ若しくは複数のハードウェアプロセッサの全体又は一部分は、（例えば、命令、アプリケーション部分、又はアプリケーション等の）ファームウェア又はソフトウェアによって、指定の動作を実施するように動作する回路として構成されてもよい。
【００４５】
したがって、「回路」という用語は、指定の様式で動作するように、又は、本明細書において記載されているいずれかの動作の一部分又はすべてを実施するように物理的に構成されている、（例えば、ハードウェアに組み込まれているといったように）具体的に構成されている、又は一時的に（例えば、一過性に）構成されている（プログラムされている）エンティティである、有体物を包含するものとして理解される。回路が一時的に構成される例を考慮すると、これらの回路の各々は、いずれの時点においてもインスタンス化されている必要はない。例えば、回路が、ソフトウェアを使用して構成されている汎用ハードウェアプロセッサを含む場合、その汎用ハードウェアプロセッサは、異なる時点においてそれぞれ異なる回路として構成することができる。したがって、ソフトウェアは、例えば、１つの時点において特定の回路を構成し、異なる時点においては異なる回路を構成するように、ハードウェアプロセッサを構成してもよい。
【００４６】
（例えば、コンピュータシステム等の）機械５０００は、（例えば、中央処理装置（ＣＰＵ）、グラフィックス処理ユニット（ＧＰＵ）、ハードウェアプロセッサコア、又はそれらのいずれかの組み合わせ等の）ハードウェアプロセッサ５００２と、主メモリ５００１と、スタティックメモリ５００６とを含んでもよく、それらの一部又はすべては、（例えば、バス等の）インターリンク５００８を介して互いと通信してもよい。機械５０００は、表示装置５０１０と、（例えば、キーボード等の）英数字入力デバイス５０１２と、（例えば、マウス等の）ユーザインターフェース（ＵＩ）ナビゲーションデバイス５０１４とをさらに含むことができる。一例において、表示装置５０１０、英数字入力デバイス５０１２、及びＵＩナビゲーションデバイス５０１４は、タッチ・スクリーン・ディスプレイであってもよい。機械５０００は付加的に、（例えば、ドライブユニット等の）記憶デバイス５０１６と、（例えば、スピーカ等の）信号生成デバイス５０１８と、ネットワークインターフェースデバイス５０２０と、全地球測位システム（ＧＰＳ）センサ、コンパス、加速度計、又は他のセンサ等の１つ又は複数のセンサ５０２１とを含んでもよい。機械５０００は、（例えば、プリンタ、カードリーダ等の）１つ又は複数の周辺機器と通信し、又はこれを制御するための、（例えば、ユニバーサル・シリアル・バス（ＵＳＢ）等の）直列、並列、又は（例えば、赤外線（ＩＲ）、近接場通信（ＮＦＣ）等の）他の有線若しくは無線接続等の出力コントローラ５０２８を含んでもよい。
【００４７】
記憶デバイス５０１６は、機械読み取り可能な媒体５０２２を含んでもよく、機械読み取り可能な媒体５０２２は、本明細書において記載されている技法又は機能の１つ又は複数のうちのいずれかを具現化するか、又は、それによって利用されるデータ構造又は命令５０２４の１つ又は複数のセットを格納する。命令５０２４は、また、機械５０００によるその実行中に、完全に又は少なくとも部分的に、主メモリ５００１内、スタティックメモリ５００６内、又はハードウェアプロセッサ５００２内に存在してもよい。一例において、ハードウェアプロセッサ５００２、主メモリ５００１、スタティックメモリ５００６、又は記憶デバイス５０１６の１つ又は任意の組み合わせが、機械読み取り可能な媒体を構成してもよい。
【００４８】
機械読み取り可能な媒体５０２２は、単一の媒体として図示されているが、「機械読み取り可能な媒体」という用語は、１つ又は複数の命令５０２４を記憶するように構成されている（例えば、集中又は分散データベース、ならびに／又は関連キャッシュ及びサーバ等の）単一の媒体又は複数の媒体を含んでもよい。
【００４９】
「機械可読媒体」という用語は、機械５０００によって実行するための命令を記憶、符号化、若しくは搬送することが可能であり、機械５０００に、本開示の技術のうちの１つ若しくは複数のいずれかを実施させ、又は、そのような命令によって使用される若しくは当該命令と関連付けられるデータ構造を記憶、符号化、若しくは搬送することが可能であるいずれかの媒体を含んでもよい。機械読み取り可能な媒体は、非一時的機械読み取り可能な媒体を含んでもよい。機械読み取り可能な媒体は、一時的伝播信号ではない。非限定的な機械読み取り可能な媒体の例は、ソリッドステートメモリ、ならびに光媒体及び磁気媒体を含んでもよい。機械読み取り可能な媒体の特定の例は、（例えば、電気的プログラム可能リードオンリーメモリ（ＥＰＲＯＭ）、電気的消去可能プログラマブルリードオンリーメモリ（ＥＥＰＲＯＭ）等の）半導体メモリデバイス及びフラッシュメモリデバイス等の不揮発性メモリ、内部ハードディスク及びリムーバブルディスク等の磁気ディスク、磁気光ディスク、ランダムアクセスメモリ（ＲＡＭ）、ならびにＣＤ−ＲＯＭ及びＤＶＤ−ＲＯＭディスクを含んでもよい。
【００５０】
命令５０２４はさらに、（例えば、フレームリレー、インターネットプロトコル（ＩＰ）、伝送制御プロトコル（ＴＣＰ）、ユーザデータグラムプロトコル（ＵＤＰ）、ハイパーテキスト転送プロトコル（ＨＴＴＰ）等の）いくつかの転送プロトコルのうちのいずれか１つを利用するネットワークインターフェースデバイス５０２０を介して伝送媒体を使用して通信ネットワーク５０２６を通じて送信又は受信されてもよい。例示的な通信ネットワークは、とりわけ、ローカルエリアネットワーク（ＬＡＮ）、ワイドエリアネットワーク（ＷＡＮ）、（例えば、インターネット等の）パケットデータネットワーク、（例えば、セルラネットワーク等の）携帯電話ネットワーク、アナログ回線音声通話（ＰＯＴＳ）ネットワーク、ならびに、（例えば、Ｗｉ−Ｆｉ（登録商標）として知られているＩＥＥＥ８０２．１１規格ファミリー、ＷｉＭａｘ（登録商標）として知られているＩＥＥＥ８０２．１６規格ファミリー、ＩＥＥＥ８０２．１５．４規格ファミリー、及びピアツーピア（Ｐ２Ｐ）ネットワーク等の）無線データネットワークを含んでもよい。一例において、ネットワークインターフェースデバイス５０２０は、通信ネットワーク５０２６に接続するための（例えば、Ｅｔｈｅｒｎｅｔ、同軸、又はフォンジャック等の）１つ若しくは複数の物理的ジャック又は１つ若しくは複数のアンテナを含んでもよい。一例において、ネットワークインターフェースデバイス５０２０は、単一入力多出力（ＳＩＭＯ）、多入力多出力（ＭＩＭＯ）、又は多入力単一出力（ＭＩＳＯ）技術のうちの少なくとも１つを使用して無線通信するための複数のアンテナを含んでもよい。「伝送媒体」という用語は、いずれかの無形媒体を含んでもよく、それらの無形媒体は、機械５０００によって実行するための命令を記憶、符号化、又は搬送することが可能であり、そのようなソフトウェアの通信を促進するためのデジタル若しくはアナログ通信信号又は他の無形媒体を含むように解釈されるべきである。
【００５１】
その他注記及び非限定的な実施例
【００５２】
例１は、（デバイス、装置、又は機械等の）主題を含み、当該主題は、第１の無線プロトコルを使用して免許不要のチャネルにおいて送信及び受信するように構成される第１のトランシーバーと、免許付与されるチャネルにおいてセルラ無線プロトコルに従って送信及び受信するように構成される第２のトランシーバーと、コントローラとを含み、該コントローラは、あらかじめ定められた時間的な期間を通して前記免許不要のチャネルの平均エネルギーがあらかじめ定められた閾値を下回るということを前記第１のトランシーバーにより判定し、前記判定に応答して、前記第１のトランシーバーにより前記免許不要のチャネルで無線予約メッセージを送信して、付加ダウンリンク（ＳＤＬ）物理ダウンリンク共有チャネル（ＰＤＳＣＨ）の送信のために前記免許不要のチャネルを予約し、当該ｅＮｏｄｅＢによってサービスを提供される少なくとも１つのユーザ機器（ＵＥ）をスケジューリングして、前記少なくとも１つのユーザ機器（ＵＥ）が、前記第２のトランシーバーによって送信される前記免許付与されるチャネルの物理ダウンリンク制御チャネル（ＰＤＣＣＨ）を介して、前記免許不要のチャネルの中の前記付加ダウンリンク（ＳＤＬ）物理ダウンリンク共有チャネル（ＰＤＳＣＨ）に関するデータを受信するようにし、前記第１のトランシーバーによりセルラサブフレーム境界において前記免許不要のチャネルを介して前記付加ダウンリンク（ＳＤＬ）物理ダウンリンク共有チャネル（ＰＤＳＣＨ）を送信する、ように構成される。
【００５３】
例２において、例１の主題は、前記セルラ無線プロトコルが、第３世代パートナーシップ（３ＧＰＰ）によって定義されるロングタームエボリューション（ＬＴＥ）又はロングタームエボリューションアドバンスト（ＬＴＥ−Ａ）規格ファミリーであることを含んでもよい。
【００５４】
例３において、例１及び２のいずれか１つの主題は、前記第１の無線プロトコルが、米国電気電子通信学会（ＩＥＥＥ）８０２．１１プロトコルに従ったプロトコルであることを含んでもよい。
【００５５】
例４において、例１乃至３のいずれか１つの主題は、前記無線予約メッセージは、送信可（ＣＴＳ）メッセージ又は送信要求（ＲＴＳ）メッセージのうちの一方であることを含んでもよい。
【００５６】
例５において、例１乃至４のいずれか１つの主題は、前記コントローラが、バックオフプロセスを実施するように構成され、前記バックオフプロセスが成功するまで、前記コントローラは、前記無線予約メッセージを送信すること、前記ユーザ機器（ＵＥ）をスケジューリングすること及び前記付加ダウンリンク（ＳＤＬ）物理ダウンリンク共有チャネル（ＰＤＳＣＨ）を送信することを控えるように構成されることを含んでもよい。
【００５７】
例６において、例１乃至５のいずれか１つの主題は、バックオフ長さが、以前の送信に基づいて決定されることを含んでもよい。
【００５８】
例７において、例１乃至６のいずれか１つの主題は、前記免許不要のチャネルが、産業科学医療用（ＩＳＭ）帯域におけるチャネルであるを含んでもよい。
【００５９】
例８において、実施例１乃至７のいずれか１つの主題は、前記セルラサブフレーム境界が、ＬＴＥ又はＬＴＥ−Ａサブフレームの始端となることを含んでもよい。
【００６０】
例９において、実施例１乃至８のいずれか１つの主題は、前記無線予約メッセージが、１つの継続時間フィールドを含み、前記１つの継続時間フィールドは、少なくとも、前記サブフレーム境界の始端に達するのに必要とされる時間と、前記付加ダウンリンク（ＳＤＬ）物理ダウンリンク共有チャネル（ＰＤＳＣＨ）を送信するのに必要とされる時間との合計である時間に設定されることを含んでもよい。
【００６１】
例１０において、実施例１乃至９のいずれか１つの主題は、前記第２のトランシーバーは、免許付与されるチャネルにおいて物理ダウンリンク制御チャネル（ＰＤＣＣＨ）を提供するように構成されることを含んでもよい。
【００６２】
例１１は、（デバイス、装置、又は機械等の）主題を含み、当該主題は、あらかじめ定められた時間的な期間の間に第１のチャネルを検知する動作であって、前記第１のチャネルは無線チャネルであって、前記無線チャネルは、セルラ無線通信のために排他的には免許付与されていない、第１のチャネルを検知する動作と、前記第１のチャネルが前記あらかじめ定められた時間的な期間の間にアイドルであることを前記第１のチャネルの平均受信電力が示しているということを判定する動作と、前記第１のチャネルがアイドルであるという判定に応答して、前記ｅＮｏｄｅＢによってサービスを提供される少なくとも１つのユーザ機器（ＵＥ）をスケジューリングすることにより、前記少なくとも１つのユーザ機器（ＵＥ）が前記第１のチャネルで送信される物理ダウンリンク共有チャネル（ＰＤＳＣＨ）に関するデータを受信するようにする動作と、第２のチャネルの制御チャネルを介して前記ユーザ機器（ＵＥ）に前記スケジュールを通信する動作であって、前記第２のチャネルは無線チャネルであって、前記無線チャネルは、セルラ無線通信のために免許付与されている、前記スケジュールを通信する動作と、前記第１のトランシーバーにより前記第１のチャネルを介して前記物理ダウンリンク共有チャネル（ＰＤＳＣＨ）を送信する動作とを含む。
【００６３】
例１２において、例１１の主題は、前記命令が、少なくとも、前記第１のチャネルがアイドルであるという前記判定に応答して前記第１のチャネル上で予約メッセージを送信するように前記ｅＮｏｄｅＢを構成することを含んでもよい。
【００６４】
例１３において、例１１及び１２のいずれか１つの主題は、前記予約メッセージが、米国電気電子通信学会（ＩＥＥＥ）８０２．１１規格ファミリーのうちの１つに従って定義されるメッセージであることを含んでもよい。
【００６５】
例１４において、例１１乃至１３のいずれか１つの主題は、前記予約メッセージが、１つの継続時間フィールドを含み、前記１つの継続時間フィールドは、少なくとも、サブフレーム境界までの時間と前記サブフレームを送信するのに必要とされる時間との合計と同程度の長さであることを含んでもよい。
【００６６】
例１５において、実施例１１乃至１４のいずれか１つの主題は、前記物理ダウンリンク共有チャネル（ＰＤＳＣＨ）を送信する前記動作が、前記ｅＮｏｄｅＢのサブフレーム境界まで送信することを待つ動作を含むことを含んでもよい。
【００６７】
例１６において、実施例１１乃至１５のいずれか１つの主題は、前記命令が、前記ユーザ機器（ＵＥ）をスケジューリングする前にバックオフ手順を実施するように前記ｅＮｏｄｅＢをさらに構成することをさらに含んでもよい。
【００６８】
例１７において、例１１乃至１６のいずれか１つの主題は、前記ｅＮｏｄｅＢは、ロングタームエボリューション（ＬＴＥ）又はロングタームエボリューションアドバンスト（ＬＴＥ−Ａ）無線プロトコルのうちの一方に従って動作することを含んでもよい。
【００６９】
例１８は、（方法、動作を実施するための手段、機械によって実施されると、機械に動作を実施させる命令を含む機械可読媒体、又は、実施するための装置等の）主題を含み、当該主題は、ｅＮｏｄｅＢにおいて、あらかじめ定められた時間的な期間を通して第１のチャネルの平均エネルギーがあらかじめ定められた閾値を下回るということを第１のトランシーバーにより判定するステップであって、前記第１のチャネルは無線チャネルであって、前記無線チャネルは、セルラ無線のために排他的には免許付与されていない、第１のトランシーバーにより判定するステップと、前記判定に応答して、ランダムバックオフ期間を選択するステップと、前記ランダムバックオフ期間を通して前記第１のチャネルの前記平均エネルギーが第２の閾値を下回ることを判定するステップと、前記ｅＮｏｄｅＢによってサービスを提供される少なくとも１つのユーザ機器（ＵＥ）をスケジューリングすることにより、前記少なくとも１つのユーザ機器（ＵＥ）が前記第１のチャネルの付加ダウンリンク（ＳＤＬ）物理ダウンリンク共有チャネル（ＰＤＳＣＨ）に関するデータを受信するようにするステップと、第２のトランシーバーにより第２のチャネルで物理ダウンリンク制御チャネル（ＰＤＣＣＨ）を送信することによって、前記ＵＥに前記スケジュールを通信するステップであって、前記第２のチャネルは無線チャネルであり、前記無線チャネルは、セルラ無線のために免許付与されている、前記スケジュールを通信するステップと、前記第１のトランシーバーによりセルラサブフレーム境界において免許不要のチャネルを介して前記付加ダウンリンク（ＳＤＬ）物理ダウンリンク共有チャネル（ＰＤＳＣＨ）を送信するステップとを含む。
【００７０】
例１９において、例１８の主題は、前記第２のチャネルで物理ダウンリンク共有チャネル（ＰＤＳＣＨ）を提供するステップを含んでもよい。
【００７１】
例２０において、例１８及び１９のいずれか１つの主題は、前記免許不要のチャネルが、２．４[ＧＨｚ]と２．５[ＧＨｚ]との間の周波数であることを含んでもよい。
【００７２】
例２１において、例１８乃至２０のいずれか１つの主題は、前記第１のチャネルで無線予約メッセージを送信するステップを含んでもよい。
【００７３】
例２２において、例１８乃至２１のいずれか１つの主題は、前記無線予約メッセージがブロードキャストメッセージであることを含んでもよい。
【００７４】
例２３において、例１８乃至２２のいずれか１つの主題は、前記無線予約メッセージは送信可（ＣＴＳ）メッセージであることを含んでもよい。
【００７５】
例２４において、例１８乃至２３のいずれか１つの主題は、送信可（ＣＴＳ）メッセージが時分割多重化又は周波数分割多重化方式で送信されることを含んでもよい。
【００７６】
例２５において、例１８乃至２４のいずれか１つの主題は、前記無線予約メッセージは１つの継続時間フィールドを有し、前記１つの継続時間フィールドは、少なくとも、前記サブフレーム境界までの時間に物理ダウンリンク共有チャネル（ＰＤＳＣＨ）サブフレームを送信するのに必要とされる時間を加算した値に設定されることを含んでもよい。
【００７７】
例２６において、例１８乃至２５のいずれか１つの主題は、前記あらかじめ定められた閾値及び前記第２の閾値が同じ値であることを含んでもよい。
【００７８】
例２７において、例１８乃至２６のいずれか１つの主題は、前記あらかじめ定められた閾値及び前記第２の閾値が異なる値であることを含んでもよい。
【００７９】
例２８は、（デバイス、装置、又は機械等の）主題を含み、あらかじめ定められた時間的な期間を通して第１のチャネルの平均エネルギーがあらかじめ定められた閾値を下回るということを第１のトランシーバーにより判定する手段であって、前記第１のチャネルは無線チャネルであり、前記無線チャネルは、セルラ無線のために排他的には免許付与されていない、第１のトランシーバーにより判定する手段と、前記判定に応答して、ランダムバックオフ期間を選択する手段と、前記ランダムバックオフ期間を通して前記第１のチャネルの前記平均エネルギーが第２の閾値を下回ることを判定する手段と、当該ｅＮｏｄｅＢによってサービスを提供される少なくとも１つのユーザ機器（ＵＥ）をスケジューリングすることにより、前記少なくとも１つのユーザ機器（ＵＥ）が前記第１のチャネルの付加ダウンリンク（ＳＤＬ）物理ダウンリンク共有チャネル（ＰＤＳＣＨ）に関するデータを受信するようにする手段と、第２のトランシーバーにより第２のチャネルで物理ダウンリンク制御チャネル（ＰＤＣＣＨ）を送信することによって、前記ユーザ機器（ＵＥ）に前記スケジュールを通信する手段であって、前記第２のチャネルは無線チャネルであり、前記無線チャネルは、セルラ無線のために免許付与されている、前記スケジュールを通信するための手段と、前記第１のトランシーバーによりセルラサブフレーム境界において免許不要チャネルを介して前記付加ダウンリンク（ＳＤＬ）物理ダウンリンク共有チャネル（ＰＤＳＣＨ）を送信する手段とを含む。
【００８０】
例２９において、例２８の主題は、第２のチャネルで物理ダウンリンク共有チャネル（ＰＤＳＣＨ）を提供するための手段を含んでもよい。
【００８１】
例３０において、例２８及び２９のいずれか１つの主題は、前記免許不要のチャネルが、２．４[ＧＨｚ]と２．５[ＧＨｚ]との間の周波数であることを含んでもよい。
【００８２】
例３１において、例２８乃至３０のいずれか１つの主題は、前記第１のチャネル上で前記無線予約メッセージを送信するための手段を含んでもよい。
【００８３】
例３２において、例２８乃至３１のいずれか１つの主題は、前記無線予約メッセージがブロードキャストメッセージであることを含んでもよい。
【００８４】
例３３において、例２８乃至３２のいずれか１つの主題は、前記無線予約メッセージが送信可（ＣＴＳ）メッセージであることを含んでもよい。
【００８５】
例３４において、例２８乃至３３のいずれか１つの主題は、前記無線予約メッセージは１つの継続時間フィールドを有し、前記１つの継続時間フィールドは、少なくとも、前記サブフレーム境界までの時間に物理ダウンリンク共有チャネル（ＰＤＳＣＨ）サブフレームを送信するのに必要とされる時間を加算した値に設定されることを含んでもよい。
【００８６】
例３５において、例２８乃至３４のいずれか１つの主題は、前記あらかじめ定められた閾値及び前記第２の閾値が同じ値であることを含んでもよい。
【００８７】
例３６において、例２８乃至３５のいずれか１つの主題は、前記あらかじめ定められた閾値及び前記第２の閾値が異なる値であることを含んでもよい。
【００８８】
例３７は、（デバイス、装置、又は機械等の）主題を含み、当該主題は、１つ又は複数のプロセッサを含み、該プロセッサは、あらかじめ定められた時間的な期間の間に第１のチャネルを検知し、前記第１のチャネルは無線チャネルであって、前記無線チャネルは、セルラ無線通信のために排他的には免許付与されておらず、前記第１のチャネルが前記あらかじめ定められた時間的な期間の間にアイドルであることを前記第１のチャネルの平均受信電力が示しているということを判定し、前記第１のチャネルがアイドルであるという判定に応答して、前記ｅＮｏｄｅＢによってサービスを提供される少なくとも１つのユーザ機器（ＵＥ）をスケジューリングすることにより、前記少なくとも１つのユーザ機器（ＵＥ）が前記第１のチャネルで送信される物理ダウンリンク共有チャネル（ＰＤＳＣＨ）に関するデータを受信するようにし、第２のチャネルの制御チャネルを介して前記ユーザ機器（ＵＥ）に前記スケジュールを通信し、前記第２のチャネルは無線チャネルであって、前記無線チャネルは、セルラ無線通信のために免許付与されており、前記第１のトランシーバーにより前記第１のチャネルを介して前記物理ダウンリンク共有チャネル（ＰＤＳＣＨ）を送信する、ように構成される。
【００８９】
例３８において、例３７の主題は、前記１つ又は複数のプロセッサが、前記第１のチャネルがアイドルであるという判定に応答して前記第１のチャネル上で予約メッセージを送信するように構成されていることを含んでもよい。
【００９０】
例３９において、実施例３７乃至３８のいずれか１つの主題は、前記予約メッセージが、米国電気電子通信学会（ＩＥＥＥ）８０２．１１規格ファミリーのうちの１つに従って定義されるメッセージであることを含んでもよい。
【００９１】
例４０において、例３７乃至３９のいずれか１つの主題は、前記予約メッセージが、１つの継続時間フィールドを含み、前記１つの継続時間フィールドは、少なくとも、サブフレーム境界までの時間と前記サブフレームを送信するのに必要とされる時間との合計と同程度の長さであることを含んでもよい。
【００９２】
例４１において、例３７乃至４０のいずれか１つの主題は、前記１つ又は複数のプロセッサが、前記物理ダウンリンク共有チャネル（ＰＤＳＣＨ）を送信する前記動作にサブフレーム境界まで送信することを待つ動作を含めるように構成されることを含んでもよい。
【００９３】
例４２において、例３７乃至４１のいずれか１つの主題は、前記１つ又は複数のプロセッサが、前記ユーザ機器（ＵＥ）をスケジューリングする前にバックオフ手順を実施するように構成されていることを含んでもよい。
【００９４】
例４３において、例３７乃至４２のいずれか１つの主題は、セルラ無線デバイスが、ロングタームエボリューション（ＬＴＥ）又はロングタームエボリューションアドバンスト（ＬＴＥ−Ａ）無線プロトコルのうちの一方に従って動作することを含んでもよい。
【図１Ａ】
0006408035.tif 000002
【図１Ｂ】
0006408035.tif 000003
【図２Ａ】
0006408035.tif 000004
【図２Ｂ】
0006408035.tif 000005
【図３】
0006408035.tif 000006
【図４】
0006408035.tif 000007
【図５】
0006408035.tif 000008